(57)【要約】【課題】既存の汎用回線を利用して、地上波デジタル放送にかかる情報を伝送すること。【解決手段】伝送装置１００は、送信処理部１３０が８Ｋ同期信号を利用して、同期差分値情報、クロック差分値情報をそれぞれ作成すると共に、カプセリング映像データを作成してＡＤＭ３００を介して宛先に伝送する。また、伝送装置１００は、ＡＤＭ３００が外部からフレームを受信した際に、受信処理部１４０が８Ｋ同期信号を利用して、放送ＴＳ同期信号、同期クロックを再生すると共に、放送ＴＳ信号を抽出する。【選択図】        図２
2006222894.tif 000002
【特許請求の範囲】
【請求項１】
ＳＯＮＥＴ（Synchronous Optical NETwork）またはＳＤＨ（Synchronous DigitalHierachy）による通信方式を利用して、地上波デジタル放送に係る情報である地上波デジタル情報を伝送する伝送装置であって、
ＳＯＮＴＥまたはＳＤＨによる通信方式で用いられる基準信号と前記地上波デジタル情報の映像データに含まれる各映像画面の先頭位置と同期する同期信号との差分値である同期差分値を算出する同期差分値算出手段と、
前記同期差分値を地上波デジタル情報と共に伝送する伝送処理手段と、
を備えたことを特徴とする伝送装置。
【請求項２】
前記基準信号と前記地上波デジタル情報を伝送先で受信および再生する際に利用される同期クロックとの差分値であるクロック差分値を算出するクロック差分値算出手段をさらに備え、前記伝送処理手段は、前記クロック差分値を更に宛先に伝送することを特徴とする請求項１に記載の伝送装置。
【請求項３】
前記伝送処理手段は、前記映像データをカプセリングし、該カプセリングした映像データと前記同期差分値と前記クロック差分値とを含んだフレームを生成すると共に、該生成したフレームを宛先に伝送することを特徴とする請求項１または２に記載の伝送装置。
【請求項４】
前記フレームを受信した場合に、該フレームに含まれるカプセリングされた映像データと前記同期差分値と前記クロック差分値と前記基準信号とを基にして、前記地上波デジタル情報を再生する再生処理手段を更に備えたことを特徴とする請求項３に記載の伝送装置。
【請求項５】
前記再生処理手段は、前記カプセリングされた映像データを抽出する映像データ抽出手段と、前記同期差分値と前記基準信号とを基にして伝送元の同期信号と等しい同期信号を生成する同期信号生成手段と、前記クロック差分値と前記基準信号とを基にして伝送元の同期クロックと等しい同期クロックを生成する同期クロック生成手段とを備えたことを特徴とする請求項４に記載の伝送装置。
【発明の詳細な説明】
【技術分野】
【０００１】
この発明は、ＳＯＮＥＴ（Synchronous Optical NETwork）またはＳＤＨ（Synchronous DigitalHierachy）による通信方式を利用して、地上波デジタル放送に係る情報である地上波デジタル情報を伝送する伝送装置に関するものである。
【背景技術】
【０００２】
近年、テレビの高画質化・高機能化を推進するために、地上の電波塔（東京タワーなど）から地上波テレビ放送をデジタル化して各放送局に伝達する地上波デジタル放送のサービスが開始されている。
【０００３】
なお、この地上波デジタル放送に係る信号を電波塔から各放送局に伝達する方式として現在主流となっている信号伝達方式は無線による信号伝達方式である（例えば非特許文献１参照）。
【０００４】
しかし、近年では、地上波デジタル放送に限らず、様々な用途で無線が利用されているため、各無線の周波数がきっこうしており、地上波デジタル放送の信号伝達方式を有線によって行うことが強く望まれている。
【０００５】
【非特許文献１】池上智仁、外５名、「東京タワー  地上デジタルテレビジョン送信システム」、ＮＥＣ技報Ｖｏｌ．５７、Ｎｏ．４／２００４、ｐ４９−５４
【発明の開示】
【発明が解決しようとする課題】
【０００６】
しかしながら、地上波デジタル放送の信号伝達を有線によって行うには、各装置間のインターフェースにおいて高度な規格が多いため、地上波デジタル放送の信号伝達を有線によって行うことは大変困難であり、放送局レベルでの実用化の目処が立たなかった。
【０００７】
また、地上波デジタル放送の信号伝達を有線で実行すべく、地上波デジタル放送用の専用線を新たに作成し、各放送局間を結ぶことも考えられるが、新たに専用線を放送局間で結ぶことは多大なコストが必要となるため現実的ではない。
【０００８】
すなわち、地上波デジタル放送の有線による信号伝達を、既存の汎用回線を利用すると共に、放送局レベルで容易に実現可能とすることがきわめて重要な課題となっている。
【０００９】
この発明は、上述した従来技術による問題点を解消するためになされたものであり、地上波デジタル放送の有線による信号伝達を、既存の汎用回線を利用すると共に、放送局レベルで容易に実現可能とする伝送装置を提供することを目的とする。
【課題を解決するための手段】
【００１０】
上述した課題を解決し、目的を達成するため、請求項１の発明に係る伝送装置は、ＳＯＮＥＴ（Synchronous Optical NETwork）／ＳＤＨ（Synchronous DigitalHierachy）による通信方式を利用して、地上波デジタル放送に係る情報である地上波デジタル情報を伝送する伝送装置であって、ＳＯＮＥＴ／ＳＤＨによる通信方式で用いられる基準信号と前記地上波デジタル情報の映像データに含まれる各映像画面の先頭位置と同期する同期信号との差分値である同期差分値を算出する同期差分値算出手段と、前記同期差分値を地上波デジタル情報と共に宛先に伝送する伝送処理手段と、を備えたことを特徴とする。
【００１１】
この請求項１の発明によれば、伝送装置は、ＳＯＮＥＴ／ＳＤＨによる通信方式で用いられる基準信号と地上波デジタル情報の映像データに含まれる各映像画面の先頭位置と同期する同期信号との差分値である同期差分値を算出し、該算出した同期差分値を地上波デジタル情報と共に宛先に伝送する。
【００１２】
また、請求項２の発明に係る伝送装置は、請求項１の発明において、前記基準信号と前記地上波デジタル情報を伝送先で受信および再生する際に利用される同期クロックとの差分値であるクロック差分値を算出するクロック差分値算出手段をさらに備え、前記伝送処理手段は、前記クロック差分値を更に宛先に伝送することを特徴とする。
【００１３】
この請求項２の発明によれば、伝送装置は、ＳＯＮＥＴ／ＳＤＨによる通信方式で用いられる基準信号と地上波デジタル情報を伝送先で受信および再生する際に利用される同期クロックとの差分値であるクロック差分値を算出し、該算出したクロック差分値を地上波デジタル情報と共に宛先に伝送する。
【００１４】
また、請求項３の発明に係る伝送装置は、請求項１または２の発明において、前記伝送処理手段は、前記映像データをカプセリングし、該カプセリングした映像データと前記同期差分値と前記クロック差分値とを含んだフレームを生成すると共に、該生成したフレームを宛先に伝送することを特徴とする。
【００１５】
この請求項３の発明によれば、伝送装置は、映像データをカプセリングし、該カプセリングした映像データと同期差分値と同期クロック差分値とを含んだフレームを生成すると共に、生成したフレームを宛先に伝送する。
【００１６】
また、請求項４の発明に係る伝送装置は、請求項３の発明において、前記フレームを受信した場合に、該フレームに含まれるカプセリングされた映像データと前記同期差分値と前記クロック差分値と前記基準信号とを基にして、前記地上波デジタル情報を再生する再生処理手段を更に備えたことを特徴とする。
【００１７】
この請求項４の発明によれば、伝送装置は、フレームを受信した場合に、フレームに含まれるカプセリングされた映像データと同期差分値とクロック差分値と基準信号とを基にして、地上波デジタル情報を再生する。
【００１８】
また、請求項５の発明に係る伝送装置は、請求項４の発明において、前記カプセリングされた映像データを抽出する映像データ抽出手段と、前記同期差分値と前記基準信号とを基にして伝送元の同期信号と等しい同期信号を生成する同期信号生成手段と、前記クロック差分値と前記基準信号とを基にして伝送元の同期クロックと等しい同期クロックを生成する同期クロック生成手段とを備えたことを特徴とする。
【００１９】
この請求項５の発明によれば、伝送装置は、フレームを受信した際に、フレームからカプセリングされた映像データを抽出し、同期差分値と基準信号とを基にして伝送元の同期信号を生成し、クロック差分値と基準信号とを基にして伝送元の同期クロックと等しい同期クロックを生成する。
【発明の効果】
【００２０】
請求項１の発明によれば、伝送装置は、ＳＯＮＥＴ／ＳＤＨによる通信方式で用いられる基準信号と地上波デジタル情報の映像データに含まれる各映像画面の先頭位置と同期する同期信号との差分値である同期差分値を算出し、該算出した同期差分値を地上波デジタル情報と共に宛先に伝送するので、地上波デジタル放送の情報を、既存の汎用回線を利用して各放送局に伝送することができる。
【００２１】
また、請求項２の発明によれば、伝送装置は、ＳＯＮＥＴ／ＳＤＨによる通信方式で用いられる基準信号と地上波デジタル情報を伝送先で受信および再生する際に利用される同期クロックとの差分値であるクロック差分値を算出し、該算出したクロック差分値を地上波デジタル情報と共に宛先に伝送するので、地上波デジタル放送にかかる画質を劣化させることなく、既存の汎用回線を利用して、各放送局に伝送することができる。
【００２２】
また、請求項３の発明によれば、伝送装置は、映像データをカプセリングし、該カプセリングした映像データと同期差分値と同期クロック差分値とを含んだフレームを生成すると共に、生成したフレームを宛先に伝送するので、地上波デジタル方の情報を、高度な通信規格によらず、容易に各放送局に伝送することができる。
【００２３】
また、請求項４の発明によれば、伝送装置は、フレームを受信した場合に、フレームに含まれるカプセリングされた映像データと同期差分値とクロック差分値と基準信号とを基にして、地上波デジタル情報を再生するので、地上波デジタル放送の情報を、既存の汎用回線を利用して受信し、再生することができる。
【００２４】
また、請求項５の発明によれば、伝送装置は、フレームを受信した際に、フレームからカプセリングされた映像データを抽出し、同期差分値と基準信号とを基にして伝送元の同期信号を生成し、クロック差分値と基準信号とを基にして伝送元の同期クロックと等しい同期クロックを生成するので、地上波デジタル放送の情報を、既存の汎用回線を利用して受信し、精度よく再生することができる。
【発明を実施するための最良の形態】
【００２５】
以下に添付図面を参照して、この発明に係る伝送装置の好適な実施の形態を詳細に説明する。
【実施例】
【００２６】
本実施例に係る伝送装置は、ＳＯＮＥＴ（Synchronous Optical NETwork）／ＳＤＨ（Synchronous Digital Hierachy）の通信方式において利用される基準同期信号と、地上波デジタル放送に含まれる信号との差分値を算出し、該算出した差分値と地上波デジタル放送の信号とをフレーム（ＳＯＮＥＴ／ＳＤＨフレームなど）に格納すると共に、該フレームを宛先の伝送装置に伝送する。
【００２７】
そして、フレームを受信した伝送装置は、フレームに格納された地上波デジタル放送の信号と差分値とを基にして、伝送元の地上波デジタル放送の信号と同等の信号を再生する。
【００２８】
図１は、本実施例に係る伝送システムのシステム構成を示すブロック図である。同図に示すように、この伝送システムは、伝送装置１００，２００がＡＤＭ（Add/Drop Multiplexer）３００，４００にそれぞれ接続され、ＡＤＭ３００，４００がＳＤＨ同期網５０を介して接続されている。
【００２９】
伝送装置１００は、地上波デジタル放送に含まれる信号と基準同期信号との差分値を算出し、算出した差分値と地上波デジタル放送の信号とを伝送装置２００に伝送する装置である。また、伝送装置２００は、伝送装置１００から各情報を受信した場合に、受信した差分値と地上波デジタル放送の信号とを基にして、伝送装置１００が伝送装置２００に伝送するために取得した地上波デジタル放送の信号と同等の信号を再生する。
【００３０】
ここで、地上波デジタル放送に含まれる信号には、放送ＴＳ（Transport Stream）信号と放送ＴＳ同期信号と同期クロックとが含まれる。放送ＴＳ信号は、地上波デジタル放送に係る映像データの信号であり、放送ＴＳ同期信号は、放送ＴＳ信号に含まれる各映像画面の開始ポイントと同期する信号であり、同期クロックは、地上波デジタル放送の信号を伝送先で受信および再生する際に利用される信号である。
【００３１】
ＡＤＭ３００は、伝送装置１００から取得する各情報をフレームに格納し、該格納したフレームを、ＳＤＨ同期網５０を介してＡＭＤ４００に送信する装置である。また、ＡＤＭ３００は、外部からフレームを取得した場合には、取得したフレームに含まれる情報を抽出し、抽出した情報を伝送装置１００に渡す。なお、ＡＤＭ３００は、外部から受信する基準同期信号を伝送装置１００に渡す。
【００３２】
次に、図１に示した伝送装置１００およびＡＤＭ３００の構成について説明する。なお、伝送装置２００、ＡＤＭ４００の構成は、伝送装置１００、ＡＤＭ３００の構成と同様であるため説明を省略する。
【００３３】
図２は、伝送装置１００およびＡＤＭ３００の構成を示す機能ブロック図である。同図に示すように、伝送装置１００は、ＰＬＬ（Phase Locked Loop）１１０と、８Ｋ（Ｈｚ）フレーム同期信号生成部１２０と、送信処理部１３０と、受信処理部１４０とを有し、ＡＤＭ３００はＶＣ３（Virtual Concatenation 3）マッピング処理部３１０と、Ｅ／Ｏ（Electrical/Optical）処理部３２０と、Ｏ／Ｅ（Optical/Electrical）処理部３３０と、ＶＣ３デマッピング処理部３４０とを有する。
【００３４】
ＰＬＬ１１０は、入力信号の周波数と出力信号の周波数とを一致させる装置である。すなわち、ＰＬＬ１１０は、ＡＤＭ３００から入力される基準同期信号の周波数を変化させることなく、８Ｋフレーム同期信号生成部１２０に渡す。
【００３５】
８Ｋフレーム同期信号生成部１２０は、ＰＬＬ１１０から取得する基準同期信号を基にして、周波数８ＫＨｚの基準同期信号（以下、８Ｋ同期信号）を生成し、生成した８Ｋ同期信号を送信処理部１３０および受信処理部１４０に渡す処理部である。
【００３６】
図３は、送信処理部１３０の構成を示す機能ブロック図である。同図に示すように、この送信処理部１３０は、映像パケット抽出部１３１と、ＧＦＰ（generic framing Procedure）カプセリング部１３２と、同期信号差分抽出部１３３と、同期信号数値化部１３４と、同期クロック差分抽出部１３５と、同期クロック数値化部１３６とを有する。
【００３７】
映像パケット抽出部１３１は、放送ＴＳ信号に含まれる映像パケットを抽出し、抽出した映像パケットをＧＦＰカプセリング部１３２に渡す処理部であり、ＧＦＰカプセリング部は、映像パケット抽出部１３１から取得した映像パケットをＧＦＰカプセリング方式に基づいたカプセリングを行い、該カプセリングした映像パケット（以下、カプセリング映像データ）をＡＤＭ３００に渡す処理部である。
【００３８】
同期信号差分抽出部１３３は、放送ＴＳ同期信号および８Ｋ同期信号を取得し、各信号の差分を抽出し、該抽出した差分の情報を同期信号数値化部１３４に渡す処理部であり、同期信号数値化部１３４は、同期信号差分抽出部１３３から取得した差分の情報を数値化し、数値化した差分の情報（以下、同期差分値情報）をＡＤＭ３００に渡す処理部である。
【００３９】
図４は、放送ＴＳ同期信号および８Ｋ同期信号の差分抽出を説明するための説明図である。同図に示すように、１２５μ（ｓｅｃ）周期の８Ｋ同期信号の立ち上がりにおいて所定の高周波クロックによるカウンタ回路（図示しない）のカウントを開始し、放送ＴＳ同期信号の立ち上がりまでカウンタを動作させ、放送ＴＳ同期信号の立ち上がりが来たらカウンタを停止し、カウントした値を、同期差分値情報とする。なお、８Ｋ同期信号の１２５μ周期間に放送ＴＳ同期信号の立ち上がりが発生しない場合には、同期差分値情報がないことを放送ＴＳ同期信号差分有無情報として転送する。このことは、たとえばカウンタ動作中に次の８Ｋ同期信号の立ち上がりを検出する方法や、カウンタ動作中に次の８Ｋ同期信号の立ち上がりを検出し、再カウントのためにカウンタがリセットされたことを検出する方法等により認識することができる。
【００４０】
図３の説明に戻ると、同期クロック差分抽出部１３５は、同期クロックおよび８Ｋ同期信号を取得し、各信号の差分を抽出し、該抽出した差分の情報を同期クロック数値化部１３６に渡す処理部であり、同期クロック数値化部１３６は、同期クロック差分抽出部１３５から取得した差分の情報を数値化し、数値化した差分の情報（以下、クロック差分値情報）をＡＤＭ３００に渡す処理部である。
【００４１】
図５は、同期クロック信号および８Ｋ同期信号の差分抽出を説明するための説明図である。同図に示すように、１２５μ周期の８Ｋ同期信号の立ち上がりにおいて所定の高周波クロックによるカウンタ回路のカウントを開始し、最初の同期クロック信号の立ち上がりまでカウンタを動作させ、同期クロック信号の立ち上がりが来たらカウンタを停止し、カウントした値を、クロック差分値情報とする。なお、８Ｋ同期信号の１２５μ周期間に同期クロック信号の立ち上がりが発生しない場合には、クロック差分値情報がないことを同期クロック差分信号有無情報として転送する。このことは、例えばカウンタ動作中に次の８Ｋ同期信号の立ち上がりを検出する方法や、カウンタ動作中に次の８Ｋ同期信号の立ち上がりを検出し、再カウントのためにカウンタがリセットされたことを検出する方法等により認識することができる。
【００４２】
図２の説明に戻ると、ＶＣ３マッピング処理部３１０は、送信処理部１３０からカプセリング映像データ、同期差分値情報およびクロック差分値情報を取得し、取得した各情報をフレームにマッピングする処理部である。なお、フレームにマッピングする方法にはＧＦＰを用いる。
【００４３】
図６は、ＶＣ３マッピング処理部３１０がマッピングを行うフレームのデータ構造の一例を示す図である。同図に示すように、このフレームには、ＳＯＨ（Section Overhead）、ＰＯＨ（Path Overhead）、ＶＣ３＃１、ＶＣ３＃２およびＶＣ３＃３を有する。また、ＶＣ３＃１、ＶＣ３＃２およびＶＣ３＃３は、放送ＴＳ同期信号差分有無／差分値マッピング領域、同期クロック差分信号有無／差分値マッピング領域、放送ＴＳパケットマッピング領域をそれぞれ有する。
【００４４】
ここに、ＳＯＨは、伝送路切り替え情報などの保守運用上必要な情報を格納する領域であり、ＰＯＨは、単位区間ごとの運用管理情報を格納する領域である。放送ＴＳ周期信号差分有無／差分値マッピング領域は、同期差分値情報を格納する領域である（放送ＴＳ周期信号差分有無／差分値マッピング領域は１６ビットの領域が確保されており、カウンタ値を２進数符号のまま挿入する）。なお、この放送ＴＳ周期信号差分有無／差分値マッピング領域は、同期差分値情報がない場合には、放送ＴＳ同期信号と８Ｋ同期信号との差分がない旨の情報を格納する。
【００４５】
同期クロック差分信号有無／差分値マッピング領域は、クロック差分値情報を格納する領域である（同期クロック差分信号有無／差分値マッピング領域は１６ビットの領域が確保されており、カウンタ値を２進数符号のまま挿入する）。なお、この同期クロック差分信号有無／差分値マッピング領域は、クロック差分値情報がない場合には、同期クロックと８Ｋ同期信号との差分がない旨の情報を格納する。放送ＴＳパケットマッピング領域は、カプセリング映像データを格納する領域である。
【００４６】
図２の説明に戻ると、Ｅ／Ｏ処理部３２０は、ＶＣ３マッピング処理部３１０から取得した電気信号によるフレームを、光信号に変換し、該変換した光信号を、ＳＤＨ同期網５０を介して、ＡＤＭ４００に送信する処理部である。
【００４７】
Ｏ／Ｅ処理部３２０は、ＳＤＨ同期網５０から光信号によるフレームを受信した場合に、受信したフレームを電気信号によるフレームに変換し、変換したフレームをＶＣ３デマッピング処理部３４０に渡す処理部である。また、Ｏ／Ｅ処理部３２０は、基準同期信号を受信した場合には、受信した基準同期信号をＰＬＬ１１０に渡す。
【００４８】
ＶＣ３デマッピング処理部３４０は、Ｏ／Ｅ処理部３２０からフレームを取得し、該取得したフレームから、カプセリング映像データ、同期差分値情報およびクロック差分値情報を抽出すると共に、抽出した各情報を受信処理部１４０に渡す処理部である。
【００４９】
図７は、受信処理部１４０の構成を示す機能ブロック図である。同図に示すように、この受信処理部１４０は、放送ＴＳ抽出部１４１と、メモリ１４２と、同期差分値抽出部１４３と、ＴＳ同期信号再生部１４４と、リード制御部１４５と、クロック差分値抽出部１４６と、同期クロック再生部１４７と、ＰＬＬ１４８を有する。
【００５０】
放送ＴＳ抽出部１４１は、ＡＤＭ３００からカプセリング映像データを取得し、取得したカプセリング映像データから映像パケットを抽出すると共に、映像パケットをメモリ１４２に記憶させる処理部である。ここで、メモリ１４２は、映像パケットを記憶する記憶部である。
【００５１】
同期差分値抽出部１４０は、ＡＤＭ３００から同期差分値情報を取得し、取得した同期差分値情報から同期差分値を抽出すると共に、抽出した同期差分値をＴＳ同期信号再生部１４４に渡す処理部である。
【００５２】
ＴＳ同期信号再生部１４４は、同期差分値抽出部１４３から同期差分値、８Ｋフレーム同期信号生成部１２０から８Ｋ同期信号をそれぞれ取得し、取得した各情報を基にして、送信元と同等の放送ＴＳ同期信号を再生する処理部である。
【００５３】
図８は、放送ＴＳ同期信号の再生を説明するための説明図である。同図に示すように、８Ｋ同期信号が立ち上がった時点からカウンタを回し、カウンタ値が同期差分値と等しくなった時点を放送ＴＳ同期信号の立ち上がりポイントとする。このような処理を繰り返し行うことによって、ＴＳ同期信号再生部１４４は、放送ＴＳ同期信号を再生する。ＴＳ同期信号再生部１４４は、再生した放送ＴＳ同期信号をリード制御部１４５およびホストコンピュータ（図示しない）に渡す。
【００５４】
図７の説明に戻ると、リード制御部１４５は、メモリ１４２に記憶された映像パケットをホストコンピュータに渡す処理部である。なお、リード制御部１４５は、複数の映像パケットから構成される各映像画面の先頭の映像パケットと、ＴＳ同期信号再生部１４４から渡される放送ＴＳ同期信号とが同期するように、ホストコンピュータに対する映像パケットの流れを制御する。
【００５５】
クロック差分値抽出部１４６は、ＡＤＭ３００からクロック差分値情報を取得し、取得したクロック差分値情報からクロック差分値を抽出すると共に、抽出したクロック差分値を同期クロック再生部１４７に渡す処理部である。
【００５６】
同期クロック再生部１４７は、クロック差分値抽出部１４６からクロック差分値、８Ｋフレーム同期信号生成部１２０から８Ｋ同期信号をそれぞれ取得し、取得した各情報を基にして送信元と同等の同期クロックを再生する処理部である。
【００５７】
図９は、同期クロックの再生を説明するための説明図である。同図に示すように、８Ｋ同期信号が立ち上がった時点からカウンタを回し、カウンタ値がクロック差分値と等しくなった時点を同期クロックの立ち上がりポイントとする。このような処理を繰り返すことによって、同期クロック再生部１４７は、同期クロックを再生する。同期クロック再生部１４７は、再生した同期クロックを、ＰＬＬ１４８を介してポストコンピュータに送信する。ＰＬＬ１４８は、図２に示したＰＬＬ１１０と同様であるため説明を省略する。
【００５８】
上述してきたように、本実施例に係る伝送装置１００は、ＧＦＰカプセリング部１３２がカプセリング映像データ、同期信号数値化部１３４が同期差分値情報、同期クロック数値化部１３６がクロック差分値情報をそれぞれ作成し、ＡＤＭ３００を介して伝送装置２００に伝送する。
【００５９】
また、伝送装置１００は、フレームを受信した際に、放送ＴＳ抽出部１４１が放送ＴＳ信号を抽出し、ＴＳ同期信号再生部１４４が放送ＴＳ同期信号、同期クロック再生部１４７が同期クロックを再生するので、地上波デジタル放送の有線による信号伝達を、既存の汎用回線を利用して、放送局レベルで容易に実現することができる。
【００６０】
（付記１）ＳＯＮＥＴ（Synchronous Optical NETwork）またはＳＤＨ（Synchronous DigitalHierachy）による通信方式を利用して、地上波デジタル放送に係る情報である地上波デジタル情報を伝送する伝送装置であって、
ＳＯＮＴＥまたはＳＤＨによる通信方式で用いられる基準信号と前記地上波デジタル情報の映像データに含まれる各映像画面の先頭位置と同期する同期信号との差分値である同期差分値を算出する同期差分値算出手段と、
前記同期差分値を地上波デジタル情報と共に伝送する伝送処理手段と、
を備えたことを特徴とする伝送装置。
【００６１】
（付記２）前記基準信号と前記地上波デジタル情報を伝送先で受信および再生する際に利用される同期クロックとの差分値であるクロック差分値を算出するクロック差分値算出手段をさらに備え、前記伝送処理手段は、前記クロック差分値を更に宛先に伝送することを特徴とする付記１に記載の伝送装置。
【００６２】
（付記３）前記伝送処理手段は、前記映像データをカプセリングし、該カプセリングした映像データと前記同期差分値と前記クロック差分値とを含んだフレームを生成すると共に、該生成したフレームを宛先に伝送することを特徴とする付記１または２に記載の伝送装置。
【００６３】
（付記４）前記フレームを受信した場合に、該フレームに含まれるカプセリングされた映像データと前記同期差分値と前記クロック差分値と前記基準信号とを基にして、前記地上波デジタル情報を再生する再生処理手段を更に備えたことを特徴とする付記３に記載の伝送装置。
【００６４】
（付記５）前記再生処理手段は、前記カプセリングされた映像データを抽出する映像データ抽出手段と、前記同期差分値と前記基準信号とを基にして伝送元の同期信号と等しい同期信号を生成する同期信号生成手段と、前記クロック差分値と前記基準信号とを基にして伝送元の同期クロックと等しい同期クロックを生成する同期クロック生成手段とを備えたことを特徴とする付記４に記載の伝送装置。
【００６５】
（付記６）ＳＯＮＥＴ（Synchronous Optical NETwork）またはＳＤＨ（Synchronous DigitalHierachy）による通信方式を利用して、地上波デジタル放送に係る情報である地上波デジタル情報を伝送する伝送方法であって、
ＳＯＮＴＥまたはＳＤＨによる通信方式で用いられる基準信号と前記地上波デジタル情報の映像データに含まれる各映像画面の先頭位置と同期する同期信号との差分値である同期差分値を算出する同期差分値算出工程と、
前記同期差分値を地上波デジタル情報と共に伝送する伝送処理工程と、
を含んだことを特徴とする伝送方法。
【００６６】
（付記７）前記基準信号と前記地上波デジタル情報を伝送先で受信および再生する際に利用される同期クロックとの差分値であるクロック差分値を算出するクロック差分値算出工程をさらに含み、前記伝送処理工程は、前記クロック差分値を更に宛先に伝送することを特徴とする付記６に記載の伝送方法。
【００６７】
（付記８）前記伝送処理工程は、前記映像データをカプセリングし、該カプセリングした映像データと前記同期差分値と前記クロック差分値とを含んだフレームを生成すると共に、該生成したフレームを宛先に伝送することを特徴とする付記６または７に記載の伝送方法。
【００６８】
（付記９）前記フレームを受信した場合に、該フレームに含まれるカプセリングされた映像データと前記同期差分値と前記クロック差分値と前記基準信号とを基にして、前記地上波デジタル情報を再生する再生処理工程を更に含んだことを特徴とする付記８に記載の伝送方法。
【００６９】
（付記１０）前記再生処理工程は、前記カプセリングされた映像データを抽出する映像データ抽出工程と、前記同期差分値と前記基準信号とを基にして伝送元の同期信号と等しい同期信号を生成する同期信号生成工程と、前記クロック差分値と前記基準信号とを基にして伝送元の同期クロックと等しい同期クロックを生成する同期クロック生成工程とを含んだことを特徴とする付記９に記載の伝送方法。
【産業上の利用可能性】
【００７０】
以上のように、本発明にかかる伝送装置は、汎用の通信回線を利用して地上波デジタル放送にかかる信号をあて先に精度よく伝送する必要のある伝送システムなどに対して有用である。
【図面の簡単な説明】
【００７１】
【図１】本実施例に係る伝送システムのシステム構成を示すブロック図である。
【図２】伝送装置およびＡＤＭの構成を示す機能ブロック図である。
【図３】送信処理部の構成を示す機能ブロック図である。
【図４】放送ＴＳ同期信号および８Ｋ同期信号の差分抽出を説明するための説明図である。
【図５】同期クロック信号および８Ｋ同期信号の差分抽出を説明するための説明図である。
【図６】ＶＣ３マッピング処理部がマッピングを行うフレームのデータ構造の一例を示す図である。
【図７】受信処理部の構成を示す機能ブロック図である。
【図８】放送ＴＳ同期信号の再生を説明するための説明図である。
【図９】同期クロックの再生を説明するための説明図である。
【符号の説明】
【００７２】
５０    ＳＤＨ同期網
１００，２００    伝送装置
３００，４００    ＡＤＭ
１１０，１４８    ＰＬＬ
１２０    ８Ｋフレーム同期信号生成部
１３０    送信処理部
１３１    映像パケット抽出部
１３２    ＧＦＰカプセリング部
１３３    同期信号差分抽出部
１３４    同期信号数値化部
１３５    同期クロック差分抽出部
１３６    同期クロック数値化部
１４０    受信処理部
１４１    放送ＴＳ抽出部
１４２    メモリ
１４３    同期差分値抽出部
１４４    ＴＳ同期信号再生部
１４５    リード制御部
１４６    クロック差分値抽出部
１４７    同期クロック再生部
３１０    ＶＣ３マッピング処理部
３２０    Ｅ／Ｏ処理部
３３０    Ｏ／Ｅ処理部
３４０    ＶＣデマッピング処理部
【図１】
2006222894.tif 000003
【図２】
2006222894.tif 000004
【図３】
2006222894.tif 000005
【図４】
2006222894.tif 000006
【図５】
2006222894.tif 000007
【図６】
2006222894.tif 000008
【図７】
2006222894.tif 000009
【図８】
2006222894.tif 000010
【図９】
2006222894.tif 000011